(57)【要約】【課題】  多色発光ダイオードの各発光色毎のＬＥＤ駆動回路による光度のバラツキを低減させ、電源効率を向上させることが可能な照明用発光ダイオード駆動回路の提供。【解決手段】  照明用発光ダイオード駆動回路は、アノード共通の複数個の多色発光ダイオードＤ１１〜Ｄｎｐと、多色発光ダイオードの発光色数ｍと同数の電圧分割器Ｓと、多色発光ダイオードの縦列段数ｎと発光色数ｍとの積数の減衰器Ｔと、減衰器Ｔと同数の電流増幅器Ａとを備える。電流増幅器Ａの入力側に電源Ｐ側から縦列方向に順に１／１，…，１／ｎとなる比率の減衰器Ｔを挿入する。実質入力電圧になる電圧を電流増幅器Ａの入力側に印加することにより、縦列ｎ段の各電流増幅器Ａが、制御電圧Ｖｃに比例した電流を横列ｐ段並列接続された縦列ｎ段の各段の多色発光ダイオードＤ１１〜Ｄｎｐに供給する。【選択図】        図１
2005158438.tif 000002
【特許請求の範囲】
【請求項１】
アノードまたはカソードが共通端子で構成されている複数個の多色発光ダイオードを横列ｐ段並列接続すると共に、前記複数個の多色発光ダイオードを電流増幅器を挟んで縦列ｎ段直列接続した照明用発光ダイオード駆動回路であって、
前記複数個の多色発光ダイオードに印加する供給電源電圧Ｖｓと前記多色発光ダイオードの異なる各発光色の明るさを制御する制御電圧Ｖｃとの差電圧ΔＶ（＝Ｖｓ−Ｖｃ）を前記多色発光ダイオードの直列接続数ｎで等分割し、前記制御電圧Ｖｃを含むｎ通りの分割電圧Ｖｄ１〜分割電圧Ｖｄｎを発生させる前記多色発光ダイオードの各発光色数ｍと同数の複数の電圧分割器と、前記電圧分割器で発生される前記供給電源電圧Ｖｓ側に近い最も高い分割電圧Ｖｄ１（＝（Ｖｓ−Ｖｃ）×（ｎ−１）／ｎ＋Ｖｃ）を前記電源側に最も近い１番目の前記電流増幅器へと、前記電圧分割器で発生される分割電圧Ｖｄ１の次に高い分割電圧Ｖｄ２（＝（Ｖｓ−Ｖｃ）×（ｎ−２）／ｎ＋Ｖｃ）を前記電源側から数えて２番目の前記電流増幅器へと、…、前記電圧分割器で発生される前記制御電圧Ｖｃ側に近い最も低い分割電圧Ｖｄｎ（＝Ｖｃ）を前記電源側から最も遠い前記電流増幅器へとなるように順次供給する複数の減衰器とを備え、前記電圧分割器と前記電源側に最も近い１番目の前記電流増幅器との間に１／１となる比率の減衰器を、前記電圧分割器と前記電源側から数えて２番目の前記電流増幅器との間に１／２となる比率の減衰器を、…、前記電圧分割器と前記電源側から最も遠い前記電流増幅器との間に１／ｎとなる比率の減衰器をそれぞれ挿入し、前記１／１となる比率の減衰器からの実質入力電圧Ｖｉ１（＝Ｖｃ／ｎ＋Ｖｓ×（ｎ−１）／ｎ）になる電圧を前記電源側に最も近い１番目の前記電流増幅器の入力側に、前記１／２となる比率の減衰器からの実質入力電圧Ｖｉ２（＝Ｖｃ／ｎ＋Ｖｓ×（ｎ−２）／ｎ）になる電圧を前記電源側から数えて２番目の前記電流増幅器の入力側に、…、前記１／ｎとなる比率の減衰器からの実質入力電圧Ｖｉｎ（＝Ｖｃ／ｎ）になる電圧を前記電源側から最も遠い前記電流増幅器の入力側にそれぞれ印加することにより、縦列ｎ段の各電流増幅器は、前記制御電圧Ｖｃに比例した電流を横列ｐ段並列接続された縦列ｎ段の各段の前記多色発光ダイオードに供給するようにしたことを特徴とする照明用発光ダイオード駆動回路。
【発明の詳細な説明】
【技術分野】
【０００１】
本発明は、室内照明用として使用する多色発光ダイオードを駆動する照明用発光ダイオード駆動回路に関するものである。
【背景技術】
【０００２】
発光ダイオード（ＬＥＤ；Ｌｉｇｈｔ  Ｅｍｉｔｔｉｎｇ  Ｄｉｏｄｅ）の高輝度化や青色ＬＥＤの実用化に伴い、室内照明用としてＬＥＤを使用したものが最近出現してきた。
ＬＥＤ照明は、簡単に照度（光度）と色相を変えられるといった利点を持つ。
【０００３】
また、航空機バーカウンターで使用する照明に発光ダイオードを使い、様々な発光色でその場の雰囲気を加味し出す要望が顧客よりあり、赤，緑，青の３色または２色を自由に組み合わせ発光させることで様々な色を発光させることができる多色発光ダイオードが市販されている。
【０００４】
一般に、ＬＥＤを照明に使用するための発光ダイオード駆動回路は、使う環境条件に合ったものがあれば最適であるが、安定で安価なものが絶対条件となる。
ＬＥＤの数や使用する電源の種類，電圧によってこの選択肢が狭まってくる。
【０００５】
また、アノードまたはカソードが共通端子で構成されている多色発光ダイオードを自由に設定し、全体の明るさも自由に変えられるようにした発光ダイオード駆動回路は、さらに選択肢が狭まる。
【０００６】
また、多色発光ダイオードは、ＬＥＤ同志のバラツキが色ムラ問題になるが、発光ダイオード駆動回路自身の駆動電流差に起因する発生色の色ムラも見過ごせない問題となる。
【０００７】
従来から存在する一般的な発光ダイオードの駆動方法としては、駆動用直流電源からの供給電源電圧ＶｓをＬＥＤの最大端子電圧Ｖｌｅｄｍａｘで割った数ｎ（＝Ｖｓ／Ｖｌｅｄｍａｘ）以下の直列接続で駆動するのが定石となっている。
この方法は、電源効率を最も高くすることができる。
【０００８】
直列回路には、電流制限抵抗や定電流回路や定電流素子等をＬＥＤと直列に挿入する場合が普通である。
ＬＥＤの数を増やす場合には、縦列段数ｎのＬＥＤの並列接続数ｐを増やすことによってｎ×ｐのＬＥＤを使った構成の発光ダイオード駆動回路を実現させることができる。
【０００９】
ＬＥＤの光度（単位はカンデラ）は、ＬＥＤに流す電流に比例するが、ある値以上で飽和する。
飽和の一歩手前が所謂推奨（または定格）電流（一例：２０ｍＡ程度）である。
その時のＬＥＤの端子電圧は、ＬＥＤの種類，発光色によって大幅に異なっている。
【００１０】
また、ＬＥＤの光度の規定としては、規定電流のもとで一定範囲に入るように仕様書に書かれている。（発光ダイオード駆動方法として定電流方式が適している理由はここからきている。）
異なる発光色数ｍのＬＥＤを使用する発光ダイオード駆動回路は、ｎ×ｍ×ｐのＬＥＤを所定の電流で駆動させる必要がある。
ここで、同一色同志のＬＥＤ電流は、全て一定であるが、色毎にＬＥＤ電流を変えることにより、発光色を様々な色合に変えることができる。
よって、縦列段数ｎと横列段数ｐを１個の駆動回路で共用してしまい、発光色数ｍ個の発光ダイオード駆動回路にて実現することができる。
【００１１】
図３乃至図５は、照明用発光ダイオード駆動回路の一例を示す構成図である。
現在、発光ダイオード駆動回路として、図３に示すような、アノードセパレートの複数の多色発光ダイオードＬＥＤを直列・並列に接続し、その両端にＤＣ電源ＰのＤＣ電圧を印加する方法が広く採用されている。
しかしながら、図３に示す発光ダイオード駆動回路では、アノード端子が共通になっている多色発光ダイオードＬＥＤを直列・並列接続することは不可能で、図５に示すような、複雑な回路になってしまい、対応が難しかった。
【００１２】
このため、アノード共通発光ダイオード駆動回路として、図４に示すような、複数の多色発光ダイオードＬＥＤを全て並列接続し、その両端にＤＣ電源ＰのＤＣ電圧を印加する方法を使う例が多かった。
しかしながら、図４に示す従来の発光ダイオード駆動回路では、ＤＣ電源ＰのＤＣ電圧がＬＥＤの特性で限定されてしまい、自由に設定することはできなかった。
したがって、電圧変換器を使用する分のコストアップとスペースファクタの悪化，電源効率の悪化，重量増大，ＥＭＩ（Ｅｌｅｃｔｒｏ  Ｍａｇｎｅｔｉｃ  Ｉｎｔｅｒｆｅｒｅｎｃｅ：電磁放射）ノイズの増大等の問題があった。
【００１３】
さらに、発光ダイオード駆動回路として、図５に示すような、アノード共通の複数の多色発光ダイオードＬＥＤを並列接続すると共に、複数の多色発光ダイオードＬＥＤを赤ＬＥＤ電流制御器，緑ＬＥＤ電流制御器，青ＬＥＤ電流制御器を挟んで直列接続し、その両端にＤＣ電源ＰのＤＣ電圧を印加する方法もあるが、この場合、複数電流制御器をいかに均一に制御するかが課題であった。
【発明の開示】
【発明が解決しようとする課題】
【００１４】
このような、図３に示す発光ダイオード駆動回路で、ＬＥＤ全体の明るさを変化させるには、各色間の電流配分比を一定に保持したまま、ＬＥＤ駆動電流を増減させることで達成できる。
【００１５】
しかしながら、図５のように多色発光ダイオードのアノードまたはカソード端子が繋がった共通端子構造の発光ダイオードにおいては、図３のような発光ダイオード駆動回路をそのまま適用すると、ｎ段毎にアノードまたはカソード共通端子で各色の電流が合流してしまうため、発光色を様々な色合に変えることができなくなってしまう。
このため、図５のように各発光色の電流配分比を維持しつつ、かつＬＥＤ全体の電流の制御を行うには、ＬＥＤ直列接続数ｎ毎に電流駆動回路を持つｎ×ｍの電流駆動回路が必要になる。
【００１６】
図５に示す発光ダイオード駆動回路では、アノード共通端子で合流した電流をＬＥＤ電流配分比に応じて再度分配させるために、ｎ×ｍ個のフォトカプラを用意し、ｍ色のＬＥＤ電流配分比を保持することで実現することができる。
しかしながら、この駆動回路では、同一発光色ＬＥＤを駆動するｎ個のフォトカプラの電流伝達率（受光側電流／発光側電流×１００で、単位は％で表している）がバラツキなく揃っていないと、段毎のＬＥＤ駆動電流に差が出てきてしまい、ＬＥＤの光度が揃わなくなってしまう。
これが色ムラとして発覚する欠点があった。
【００１７】
本発明は、上述した問題点を解消するために、アノード共通端子の多色発光ダイオードの直列・並列接続した発光ダイオード駆動回路の一案について提案するものである。
【００１８】
そこで、本発明の目的は、上記の事情に鑑みてなされたものであって、アノードまたはカソード共通の多色発光ダイオードを従来のアノードセパレートの多色発光ダイオードと同様に直列接続して各色毎に電流制御することが可能となり、使用電源電圧に合った直列段数を選ぶことで、電源効率の向上とコストダウンを図ることができ、電流増幅器を負帰還回路を使った電流増幅器で構成することもでき、駆動電流のバラツキは抵抗の精度に依存することになり、抵抗の精度を向上させることは比較的簡単に達成できるため、電流増幅器を使ったＬＥＤ駆動回路の電流のバラツキを抑え、電流を揃えることができ、ＬＥＤ駆動回路による多色発光ダイオードの各発光色毎のＬＥＤ光度のバラツキを低減させることが可能な照明用発光ダイオード駆動回路を提供することにある。
【課題を解決するための手段】
【００１９】
本発明の照明用発光ダイオード駆動回路は、アノードまたはカソードが共通端子で構成されている複数個の多色発光ダイオードを横列ｐ段並列接続すると共に、前記複数個の多色発光ダイオードを電流増幅器を挟んで縦列ｎ段直列接続した照明用発光ダイオード駆動回路であって、前記複数個の多色発光ダイオードに印加する供給電源電圧Ｖｓと前記多色発光ダイオードの異なる各発光色の明るさを制御する制御電圧Ｖｃとの差電圧ΔＶ（＝Ｖｓ−Ｖｃ）を前記多色発光ダイオードの直列接続数ｎで等分割し、前記制御電圧Ｖｃを含むｎ通りの分割電圧Ｖｄ１〜分割電圧Ｖｄｎを発生させる前記多色発光ダイオードの各発光色数ｍと同数の複数の電圧分割器と、前記電圧分割器で発生される前記供給電源電圧Ｖｓ側に近い最も高い分割電圧Ｖｄ１（＝（Ｖｓ−Ｖｃ）×（ｎ−１）／ｎ＋Ｖｃ）を前記電源側に最も近い１番目の前記電流増幅器へと、前記電圧分割器で発生される分割電圧Ｖｄ１の次に高い分割電圧Ｖｄ２（＝（Ｖｓ−Ｖｃ）×（ｎ−２）／ｎ＋Ｖｃ）を前記電源側から数えて２番目の前記電流増幅器へと、…、前記電圧分割器で発生される前記制御電圧Ｖｃ側に近い最も低い分割電圧Ｖｄｎ（＝Ｖｃ）を前記電源側から最も遠い前記電流増幅器へとなるように順次供給する複数の減衰器とを備え、前記電圧分割器と前記電源側に最も近い１番目の前記電流増幅器との間に１／１となる比率の減衰器を、前記電圧分割器と前記電源側から数えて２番目の前記電流増幅器との間に１／２となる比率の減衰器を、…、前記電圧分割器と前記電源側から最も遠い前記電流増幅器との間に１／ｎとなる比率の減衰器をそれぞれ挿入し、前記１／１となる比率の減衰器からの実質入力電圧Ｖｉ１（＝Ｖｃ／ｎ＋Ｖｓ×（ｎ−１）／ｎ）になる電圧を前記電源側に最も近い１番目の前記電流増幅器の入力側に、前記１／２となる比率の減衰器からの実質入力電圧Ｖｉ２（＝Ｖｃ／ｎ＋Ｖｓ×（ｎ−２）／ｎ）になる電圧を前記電源側から数えて２番目の前記電流増幅器の入力側に、…、前記１／ｎとなる比率の減衰器からの実質入力電圧Ｖｉｎ（＝Ｖｃ／ｎ）になる電圧を前記電源側から最も遠い前記電流増幅器の入力側にそれぞれ印加することにより、縦列ｎ段の各電流増幅器が、前記制御電圧Ｖｃに比例した電流を横列ｐ段並列接続された縦列ｎ段の各段の前記多色発光ダイオードに供給するようにしたことを特徴とする構成を有するものである。
【００２０】
上記に記載の本発明によれば、アノードまたはカソードが共通端子で構成されている複数個の多色発光ダイオードを電流増幅器を挟んで縦列ｎ段直列接続したものを横列ｐ段並列接続して使用する照明用発光ダイオード駆動回路において、複数の電圧分割器が電源からの供給電源電圧Ｖｓと多色発光ダイオードの異なる各発光色の明るさを制御する制御電圧Ｖｃとの差電圧ΔＶ（＝Ｖｓ−Ｖｃ）を多色発光ダイオードの直列接続数ｎで等分割し、制御電圧Ｖｃを含むｎ通りの分割電圧Ｖｄ１〜分割電圧Ｖｄｎを発生させ、供給電源電圧Ｖｓ側に近い最も高い分割電圧Ｖｄ１（＝（Ｖｓ−Ｖｃ）×（ｎ−１）／ｎ＋Ｖｃ）を電源側に最も近い電流増幅器へと、分割電圧Ｖｄ１の次に高い分割電圧Ｖｄ２（＝（Ｖｓ−Ｖｃ）×（ｎ−２）／ｎ＋Ｖｃ）を電源側から数えて２番目の電流増幅器へと、…、制御電圧Ｖｃ側に近い最も低い分割電圧Ｖｄｎ（＝Ｖｃ）を電源側から最も遠い電流増幅器へとなるように、分割電圧Ｖｄ１〜Ｖｄｎをそれぞれの電流増幅器に順次供給し、電源側に最も近い電流増幅器の入力側に１／１となる比率の減衰器を、２番目の電流増幅器の入力側に１／２となる比率の減衰器を、…、電源側から最も遠い電流増幅器の入力側に１／ｎとなる比率の減衰器をそれぞれ挿入し、電源側に最も近い電流増幅器の入力側に実質入力電圧Ｖｉ１（＝Ｖｃ／ｎ＋Ｖｓ×（ｎ−１）／ｎ）になる電圧を、２番目の電流増幅器の入力側に実質入力電圧Ｖｉ２（＝Ｖｃ／ｎ＋Ｖｓ×（ｎ−２）／ｎ）になる電圧を、…、電源側から最も遠い電流増幅器の入力側に実質入力電圧Ｖｉｎ（＝Ｖｃ／ｎ）になる電圧をそれぞれ印加することにより、縦列ｎ段の各電流増幅器が制御電圧Ｖｃに比例した電流を横列ｐ段並列接続された縦列ｎ段の各段の多色発光ダイオードに供給するようにしている。
この電流増幅器は、負帰還回路を使った電流増幅器で構成することができるため、駆動電流のバラツキは、抵抗の精度に依存することになる。
抵抗の精度を向上させることは比較的簡単に達成できるため、電流増幅器を使ったＬＥＤ駆動回路の電流のバラツキを抑え、電流を揃えることができる。
その結果、ＬＥＤ駆動回路による各発光色毎のＬＥＤ光度のバラツキを低減させることができる。
【発明の効果】
【００２１】
以上に述べたように、本発明によれば、アノードまたはカソード共通の多色発光ダイオードを従来のアノードセパレートの多色発光ダイオードと同様に直列接続して各色毎に電流制御することが可能となり、使用電源電圧に合った直列段数を選ぶことで、電源効率の向上とコストダウンを図ることができ、電流増幅器を負帰還回路を使った電流増幅器で構成することできるため、駆動電流のバラツキは抵抗の精度に依存することになり、抵抗の精度を向上させることは比較的簡単に達成できるため、電流増幅器を使ったＬＥＤ駆動回路の電流のバラツキを抑え、電流を揃えることができ、ＬＥＤ駆動回路による多色発光ダイオードの各発光色毎のＬＥＤ光度のバラツキを低減させることが可能な照明用発光ダイオード駆動回路を得ることができる。
【発明を実施するための最良の形態】
【００２２】
以下、本発明を実施するための最良の形態を図面を参照して詳細に説明する。
【実施例】
【００２３】
図１は、本発明に係る実施例の照明用発光ダイオード駆動回路を示す構成図である。
照明用発光ダイオード駆動回路は、図１に示すように、アノードが共通端子で構成されている赤，緑，青の３色の異なる発光色の多色発光ダイオードＤ１１〜Ｄ１ｐ，Ｄ２１〜Ｄ２ｐ，Ｄ３１〜Ｄ３ｐ，…，Ｄｎ１〜Ｄｎｐと、直流電源と、赤ＬＥＤ電流調整器Ｋ１と、緑ＬＥＤ電流調整器Ｋ２と、青ＬＥＤ電流調整器Ｋ３と、赤ＬＥＤ電圧分割器Ｓ１と、緑ＬＥＤ電圧分割器Ｓ２と、青ＬＥＤ電圧分割器Ｓ３と、減衰器Ｔ１１〜Ｔ１ｎ，減衰器Ｔ２１〜Ｔ２ｎ，減衰器Ｔ３１〜Ｔ３ｎと、電流増幅器Ａ１１〜Ａ１ｎ，電流増幅器Ａ２１〜Ａ２ｎ，電流増幅器Ａ３１〜Ａ３ｎとを備えている。
【００２４】
アノード共通の多色発光ダイオードは、赤色を発光する赤ＬＥＤ（Ｒ）と、緑色を発光する緑ＬＥＤ（Ｇ）と、青色を発光する青ＬＥＤ（Ｂ）の各カソード端子を有する。
【００２５】
多色発光ダイオードＤ１１〜Ｄ１ｐの赤ＬＥＤ，緑ＬＥＤ，青ＬＥＤのアノード共通端子は、直流（ＤＣ）電源のプラスＶｓ（＋）側及び赤ＬＥＤ電圧分割器Ｓ１，緑ＬＥＤ電圧分割器Ｓ２，青ＬＥＤ電圧分割器Ｓ３にそれぞれ接続されている。
供給電源電圧Ｖｓは、照明用発光ダイオード駆動回路に直流電圧を供給するものである。
【００２６】
多色発光ダイオードＤ１１〜Ｄ１ｐの赤，緑，青の各カソード端子は、互いに同色同士のカソードが並列に接続されている。
【００２７】
並列接続された赤，緑，青の各カソード端子は、電流増幅器Ａ１１，電流増幅器Ａ２１，電流増幅器Ａ３１をそれぞれ介して１段目のリターン共通ラインに集合したのち多色発光ダイオードＤ２１〜Ｄ２ｐのアノード共通端子に直列に接続されている。
【００２８】
以下同様に、多色発光ダイオードＤ２１〜Ｄ２ｐは、電流増幅器Ａ１２，Ａ２２，Ａ３２へ、多色発光ダイオードＤ３１〜Ｄ３ｐは、電流増幅器Ａ１３，Ａ２３，Ａ３３へ、…、多色発光ダイオードＤｎ１〜Ｄｎｐは、電流増幅器Ａ１ｎ，Ａ２ｎ，Ａ３ｎへと直列に接続されている。
【００２９】
赤ＬＥＤ電流調整器Ｋ１は、赤ＬＥＤ電圧分割器Ｓ１に、緑ＬＥＤ電流調整器Ｋ２は、緑ＬＥＤ電圧分割器Ｓ２に、青ＬＥＤ電流調整器Ｋ３は、青ＬＥＤ電圧分割器Ｓ３にそれぞれ接続されている。
これらの電流調整器は、多色発光ダイオードの赤，緑，青のＬＥＤの電流配分を調整するものである。
【００３０】
赤ＬＥＤ電圧分割器Ｓ１は、減衰器Ｔ１１，Ｔ１２，Ｔ１３，…，Ｔ１ｎを介して電流増幅器Ａ１１，Ａ１２，Ａ１３，…，Ａ１ｎの入力側に、緑ＬＥＤ電圧分割器Ｓ２は、減衰器Ｔ２１，Ｔ２２，Ｔ２３，…，Ｔ２ｎを介して電流増幅器Ａ２１，Ａ２２，Ａ２３，…，Ａ２ｎの入力側に、青ＬＥＤ電圧分割器Ｓ３は、減衰器Ｔ３１，Ｔ３２，Ｔ３３，…，Ｔ３ｎを介して電流増幅器Ａ３１，Ａ３２，Ａ３３，…，Ａ３ｎの入力側にそれぞれ接続されている。
【００３１】
各ＬＥＤ電圧分割器Ｓ１〜Ｓ３は、供給電源電圧Ｖｓと各ＬＥＤ電流調整器Ｋ１〜Ｋ３からの制御電圧Ｖｃとの差電圧ΔＶ（＝Ｖｓ−Ｖｃ）を多色発光ダイオードの直列接続数ｎで等分割し、制御電圧Ｖｃを含むｎ通りの分割電圧Ｖｄ１〜分割電圧Ｖｄｎを発生させるためのものである。
【００３２】
減衰器Ｔ１１，Ｔ２１，Ｔ３１は、ＬＥＤ電圧分割器Ｓ１，Ｓ２，Ｓ３で発生される最も高い分割電圧Ｖｄ１（＝（Ｖｓ−Ｖｃ）×（ｎ−１）／ｎ＋Ｖｃ）をＶｓ（＋）側に最も近い１番目の電流増幅器Ａ１１，Ａ２１，Ａ３１にそれぞれ供給するためのものである。
【００３３】
減衰器Ｔ１２，Ｔ２２，Ｔ３２は、ＬＥＤ電圧分割器Ｓ１，Ｓ２，Ｓ３で発生される分割電圧Ｖｄ１の次に高い分割電圧Ｖｄ２（＝（Ｖｓ−Ｖｃ）×（ｎ−２）／ｎ＋Ｖｃ）をＶｓ（＋）側から数えて２番目の電流増幅器Ａ１２，Ａ２２，Ａ３２にそれぞれ供給するためのものである。
【００３４】
減衰器Ｔ１３，Ｔ２３，Ｔ３３は、ＬＥＤ電圧分割器Ｓ１，Ｓ２，Ｓ３で発生される分割電圧Ｖｄ３（＝（Ｖｓ−Ｖｃ）×（ｎ−３）／ｎ＋Ｖｃ）をＶｓ（＋）側から数えて３番目の電流増幅器Ａ１３，Ａ２３，Ａ３３にそれぞれ供給するためのものである。
以下同様で途中略する。
【００３５】
減衰器Ｔ１ｎ，Ｔ２ｎ，Ｔ３ｎは、ＬＥＤ電圧分割器Ｓ１，Ｓ２，Ｓ３で発生される最も低い分割電圧Ｖｄｎ（＝Ｖｃ）をＶｓ（＋）側から最も遠い電流増幅器Ａ１ｎ，Ａ２ｎ，Ａ３ｎにそれぞれ供給するためのものである。
【００３６】
各ＬＥＤ電圧分割器Ｓ１〜Ｓ３と電流増幅器Ａ１１，Ａ２１，Ａ３１との間には、１／１となる比率の減衰器Ｔ１１，Ｔ２１，Ｔ３１が挿入され、各ＬＥＤ電圧分割器Ｓ１〜Ｓ３と電流増幅器Ａ１２，Ａ２２，Ａ３２との間には、１／２となる比率の減衰器Ｔ１２，Ｔ２２，Ｔ３２が挿入され、各ＬＥＤ電圧分割器Ｓ１〜Ｓ３と電流増幅器Ａ１３，Ａ２３，Ａ３３との間には、１／３となる比率の減衰器Ｔ１３，Ｔ２３，Ｔ３３が挿入されている。
以下同様で途中略する。
【００３７】
各ＬＥＤ電圧分割器Ｓ１〜Ｓ３と電流増幅器Ａ１ｎ，Ａ２ｎ，Ａ３ｎとの間には、１／ｎとなる比率の減衰器Ｔ１ｎ，Ｔ２ｎ，Ｔ３ｎが挿入されている。
【００３８】
減衰器Ｔ１１，電流増幅器Ａ１１，減衰器Ｔ２１，電流増幅器Ａ２１，減衰器Ｔ３１，電流増幅器Ａ３１は、１段目のリターン共通ラインにそれぞれ接続されている。
【００３９】
減衰器Ｔ１２，電流増幅器Ａ１２，減衰器Ｔ２２，電流増幅器Ａ２２，減衰器Ｔ３２，電流増幅器Ａ３２は、２段目のリターン共通ラインにそれぞれ接続されている。
以下同様で途中略する。
【００４０】
減衰器Ｔ１ｎ，電流増幅器Ａ１ｎ，減衰器Ｔ２ｎ，電流増幅器Ａ２ｎ，減衰器Ｔ３ｎ，電流増幅器Ａ３ｎは、直流供給電圧のマイナスＶｓ（−）側にそれぞれ接続されている。
【００４１】
電流増幅器Ａ１１，Ａ２１，Ａ３１の入力側に１／１となる比率の減衰器Ｔ１１，Ｔ２１，Ｔ３１からの実質入力電圧Ｖｉ１（＝Ｖｃ／ｎ＋Ｖｓ×（ｎ−１）／ｎ）になる電圧をそれぞれ印加し、電流増幅器Ａ１２，Ａ２２，Ａ３２の入力側に１／２となる比率の減衰器Ｔ１２，Ｔ２２，Ｔ３２からの実質入力電圧Ｖｉ２（＝Ｖｃ／ｎ＋Ｖｓ×（ｎ−２）／ｎ）になる電圧をそれぞれ印加し、電流増幅器Ａ１３，Ａ２３，Ａ３３の入力側に１／３となる比率の減衰器Ｔ１３，Ｔ２３，Ｔ３３からの実質入力電圧Ｖｉ３（＝Ｖｃ／ｎ＋Ｖｓ×（ｎ−３）／ｎ）になる電圧をそれぞれ印加し、…、電流増幅器Ａ１ｎ，Ａ２ｎ，Ａ３ｎの入力側に１／ｎとなる比率の減衰器Ｔ１ｎ，Ｔ２ｎ，Ｔ３ｎからの実質入力電圧Ｖｉｎ（＝Ｖｃ／ｎ）になる電圧をそれぞれ印加することにより、電流増幅器Ａ１１〜Ａ１ｎ，電流増幅器Ａ２１〜Ａ２ｎ，電流増幅器Ａ３１〜Ａ３ｎは、制御電圧Ｖｃに比例した電流を横列ｐ段並列接続された縦列ｎ段の各段の多色発光ダイオードＤ１１〜Ｄ１ｐ，Ｄ２１〜Ｄ２ｐ，Ｄ３１〜Ｄ３ｐ，…，Ｄｎ１〜Ｄｎｐに供給することができる。
【００４２】
このように、赤ＬＥＤ電圧分割器Ｓ１，緑ＬＥＤ電圧分割器Ｓ２，青ＬＥＤ電圧分割器Ｓ３が、供給電源電圧Ｖｓと多色発光ダイオードＤ１１〜Ｄ１ｐ，多色発光ダイオードＤ２１〜Ｄ２ｐ，多色発光ダイオードＤ３１〜Ｄ３ｐ，…，多色発光ダイオードＤｎ１〜Ｄｎｐの赤ＬＥＤ，緑ＬＥＤ，青ＬＥＤの発光色の明るさを制御する各色毎のコントロール（制御）電圧Ｖｃ（赤，緑，青供に１００％とした場合）との差電圧ΔＶ（＝Ｖｓ−Ｖｃ）を多色発光ダイオードの直列接続数ｎで等分割し、制御電圧Ｖｃを含むｎ通りの分割電圧Ｖｄ１〜分割電圧Ｖｄｎを発生させる。
【００４３】
また、供給電源電圧Ｖｓ側に近い最も高い分割電圧Ｖｄ１を直流電源Ｐ側に最も近い電流増幅器Ａ１１，Ａ２１，Ａ３１へと、…、コントロール電圧Ｖｃ側に近い最も低い分割電圧Ｖｄｎを直流電源Ｐ側から最も遠い電流増幅器Ａ１ｎ，Ａ２ｎ，Ａ３ｎへとなるように、分割電圧Ｖｄ１〜Ｖｄｎをそれぞれの電流増幅器Ａ１１〜Ａ１ｎ，電流増幅器Ａ２１〜Ａ２ｎ，電流増幅器Ａ３１〜Ａ３ｎに順次供給する。
【００４４】
この際、電流増幅器Ａ１１，Ａ２１，Ａ３１の入力側に１／１となる比率の減衰器Ｔ１１，Ｔ２１，Ｔ３１を、電流増幅器Ａ１２，Ａ２２，Ａ３２の入力側に１／２となる比率の減衰器Ｔ１２，Ｔ２２，Ｔ３２を、…、電流増幅器Ａ１ｎ，Ａ２ｎ，Ａ３ｎの入力側に１／ｎとなる比率の減衰器Ｔ１ｎ，Ｔ２ｎ，Ｔ３ｎをそれぞれ挿入する。
【００４５】
この結果、各電流増幅器Ａ１１〜Ａ１ｎ，電流増幅器Ａ２１〜Ａ２ｎ，電流増幅器Ａ３１〜Ａ３ｎの入力側にはＶｃ／ｎの制御電圧とＶｓ／ｎの整数倍の電圧が印加され、電流増幅器Ａ１１〜Ａ１ｎ，電流増幅器Ａ２１〜Ａ２ｎ，電流増幅器Ａ３１〜Ａ３ｎは、制御電圧Ｖｃに比例した電流を縦列ｎ段の各段の並列接続された多色発光ダイオードＤ１１〜Ｄ１ｐ，多色発光ダイオードＤ２１〜Ｄ２ｐ，多色発光ダイオードＤ３１〜Ｄ３ｐ，…，多色発光ダイオードＤｎ１〜Ｄｎｐのｐ個に供給することができる。
【００４６】
このように比較的簡単な照明用発光ダイオード駆動回路で、アノード共通の多色発光ダイオードを従来のアノードセパレートの多色発光ダイオードと同様に直列接続して各色毎に電流制御することが可能になり、使用電源電圧に合った直列接続する縦列段数を選ぶことで、主に電源効率の向上とコストダウンが期待できる。
【００４７】
この方法では、供給電源電圧Ｖｓが変化しても、制御電圧Ｖｃが一定ならＬＥＤ電流に変化が生じないため、ＬＥＤの照度（光度）は変わらない利点がある。
【００４８】
電圧変換器を使用する分のコストアップとスペースファクタの悪化，電源効率の悪化，重量増大，ＥＭＩノイズの増大等を防止することもできる。
【００４９】
また、供給電源電圧Ｖｓが全波整流波形のようなリップルを含んだ電圧であっても、制御電圧Ｖｃが安定であれば、基本動作に支障を来たすようなことが発生しない。
さらに、任意の少数の多色発光ダイオードの故障でＬＥＤ端子が断線した場合でも、他の多色発光ダイオードに与える影響は僅かであり、基本的な動作に支障を来たすことがない利点を持っている。
【００５０】
図２は、本発明に係る実施例の照明用発光ダイオード駆動回路の一例を示す電気回路図である。
以下、縦列段数ｎ＝４，発光色数ｍ＝３，横列段数ｐ＝６の一実施例について説明する。
多色発光ダイオードＬＥＤの数は、ｎ×ｐ＝４×６＝２４個となる。
電流制御は、ｎ×ｍ＝４×３＝１２箇所となる。
ＤＣ供給電源電圧Ｖｓは、コネクタＣＮ１の１番目と３番目ピンより１５Ｖ〜３５Ｖの電圧が供給される。
各多色発光ダイオードＬＥＤの電流は、最大で約２０ｍＡで、多色発光ダイオードＬＥＤの全最大電流は、２０×３×６＝３６０ｍＡとなる。
【００５１】
多色発光ダイオードＬＥＤの赤ＬＥＤ，緑ＬＥＤ，青ＬＥＤの各制御電圧は、コネクタＣＮ１の２番目ピンから入力される照明の明るさを制御する制御電圧Ｖｃを可変抵抗ＶＲ１〜ＶＲ３にてそれぞれ最適に調整してから用いる。
例えば、可変抵抗ＶＲ１〜ＶＲ３を最大にして多色発光ダイオードＬＥＤの赤ＬＥＤ：緑ＬＥＤ：青ＬＥＤの電流比率を全て１００：１００：１００に設定すると、多色発光ダイオードＬＥＤは、白色発光させることができる。
また、可変抵抗ＶＲ１〜ＶＲ３を調整して多色発光ダイオードＬＥＤの赤ＬＥＤ：緑ＬＥＤ：青ＬＥＤの電流比率を１００：５０：３０に設定すると、多色発光ダイオードＬＥＤは、太陽光に近い色を発光させることができる。
【００５２】
最上段の多色発光ダイオードＤ１１〜Ｄ１６のアノードは、互いに並列にＶｓ（＋）に接続されている。
【００５３】
２段目の多色発光ダイオードＤ２１〜Ｄ２６のアノードは、互いに１段目のリターン共通ラインに並列に接続されている。
【００５４】
３段目の多色発光ダイオードＤ３１〜Ｄ３６のアノードは、互いに２段目のリターン共通ラインに並列に接続されている。
【００５５】
４段目の多色発光ダイオードＤ４１〜Ｄ４６のアノードは、互いに３段目のリターン共通ラインに並列に接続されている。
【００５６】
１段目の多色発光ダイオードＤ１１〜Ｄ１６の赤，緑，青のカソード端子は、保護抵抗ＲＲ１１〜ＲＲ１６，ＲＧ１１〜ＲＧ１６，ＲＢ１１〜ＲＢ１６をそれぞれ介し、電流増幅器Ａ１１，Ａ２１，Ａ３１をそれぞれ経由して１段目のリターン共通ラインに直列に接続されている。
【００５７】
２段目の多色発光ダイオードＤ２１〜Ｄ２６の赤，緑，青のカソード端子は、保護抵抗ＲＲ２１〜ＲＲ２６，ＲＧ２１〜ＲＧ２６，ＲＢ２１〜ＲＢ２６をそれぞれ介し、電流増幅器Ａ１２，Ａ２２，Ａ３２をそれぞれ経由して２段目のリターン共通ラインに直列に接続されている。
【００５８】
３段目の多色発光ダイオードＤ３１〜Ｄ３６の赤，緑，青のカソード端子は、保護抵抗ＲＲ３１〜ＲＲ３６，ＲＧ３１〜ＲＧ３６，ＲＢ３１〜ＲＢ３６をそれぞれ介し、電流増幅器Ａ１３，Ａ２３，Ａ３３をそれぞれ経由して３段目のリターン共通ラインに直列に接続されている。
【００５９】
４段目の多色発光ダイオードＤ４１〜Ｄ４６の赤，緑，青のカソード端子は、保護抵抗ＲＲ４１〜ＲＲ４６，ＲＧ４１〜ＲＧ４６，ＲＢ４１〜ＲＢ４６をそれぞれ介し、電流増幅器Ａ１４，Ａ２４，Ａ３４をそれぞれ経由して直流供給電源電圧のＶｓ（−）に直列に接続されている。
【００６０】
赤ＬＥＤ電流調整器Ｋ１は、赤ＬＥＤ電圧分割器Ｓ１に、緑ＬＥＤ電流調整器Ｋ２は、緑ＬＥＤ電圧分割器Ｓ２に、青ＬＥＤ電流調整器Ｋ３は、青ＬＥＤ電圧分割器Ｓ３に接続されている。
【００６１】
赤ＬＥＤ電圧分割器Ｓ１は、４つの抵抗ＲＳ１１〜ＲＳ１４の直流回路で構成され、供給電源電圧のＶｓ（＋）と赤ＬＥＤ電流調整器Ｋ１との間に接続され、各抵抗分割電圧Ｖｄ１，Ｖｄ２，Ｖｄ３，Ｖｄ４は、減衰器Ｔ１１，Ｔ１２，Ｔ１３，Ｔ１４を介して電流増幅器Ａ１１，Ａ１２，Ａ１３，Ａ１４にそれぞれ接続されている。
【００６２】
緑ＬＥＤ電圧分割器Ｓ２は、４つの抵抗ＲＳ２１〜ＲＳ２４の直流回路で構成され、供給電源電圧のＶｓ（＋）と緑ＬＥＤ電流調整器Ｋ２との間に接続され、各抵抗分割電圧Ｖｄ１，Ｖｄ２，Ｖｄ３，Ｖｄ４は、減衰器Ｔ２１，Ｔ２２，Ｔ２３，Ｔ２４を介して電流増幅器Ａ２１，Ａ２２，Ａ２３，Ａ２４にそれぞれ接続されている。
【００６３】
青ＬＥＤ電圧分割器Ｓ３は、４つの抵抗ＲＳ３１〜ＲＳ３４の直流回路で構成され、供給電源電圧のＶｓ（＋）と青ＬＥＤ電流調整器Ｋ３との間に接続され、各抵抗分割電圧Ｖｄ１，Ｖｄ２，Ｖｄ３，Ｖｄ４は、減衰器Ｔ３１，Ｔ３２，Ｔ３３，Ｔ３４を介して電流増幅器Ａ３１，Ａ３２，Ａ３３，Ａ３４にそれぞれ接続されている。
【００６４】
各段の多色ＬＥＤのアノードとリターン共通ラインとの間には、抵抗Ｒｂ１〜Ｒｂ４が接続されており、多色ＬＥＤに流す電流が微少もしくはゼロの時に各段の多色ＬＥＤのアノードとリターン共通ライン間の電圧がＶｓ／４に揃うようにしている。
【００６５】
赤，緑，青のＬＥＤ電流調整器Ｋ１〜Ｋ３は、可変抵抗ＶＲ１〜ＶＲ３とＰＮＰ型トランジスタＱＫ１〜ＱＫ３のエミッタフォロワで構成されている。
【００６６】
減衰器Ｔ１１，Ｔ２１，Ｔ３１は、シリーズ抵抗ＲＴ１１，ＲＴ２１，ＲＴ３１から構成され、ゲインは１となっている。
【００６７】
減衰器Ｔ１２，Ｔ２２，Ｔ３２は、シリーズ抵抗ＲＴ１２，ＲＴ２２，ＲＴ３２と終端抵抗ＲＴ１２１，ＲＴ２２１，ＲＴ３２１とから構成され、ゲインは１／２となっている。
【００６８】
減衰器Ｔ１３，Ｔ２３，Ｔ３３は、シリーズ抵抗ＲＴ１３，ＲＴ２３，ＲＴ３３と終端抵抗ＲＴ１３１，ＲＴ２３１，ＲＴ３３１とから構成され、ゲインは１／３となっている。
【００６９】
減衰器Ｔ１４，Ｔ２４，Ｔ３４は、シリーズ抵抗ＲＴ１４，ＲＴ２４，ＲＴ３４と終端抵抗ＲＴ１４１，ＲＴ２４１，ＲＴ３４１とから構成され、ゲインは１／４となっている。
【００７０】
減衰器Ｔ１１，Ｔ２１，Ｔ３１は、各ＬＥＤ電圧分割器Ｓ１，Ｓ２，Ｓ３で発生される最も高い分割電圧Ｖｄ１（＝（Ｖｓ−Ｖｃ）×３／４＋Ｖｃ）を電流増幅器Ａ１１，Ａ２１，Ａ３１にそれぞれ供給するためのものである。
【００７１】
減衰器Ｔ１２，Ｔ２２，Ｔ３２は、各ＬＥＤ電圧分割器Ｓ１，Ｓ２，Ｓ３で発生される分割電圧Ｖｄ２（＝（Ｖｓ−Ｖｃ）×１／２＋Ｖｃ）を電流増幅器Ａ１２，Ａ２２，Ａ３２にそれぞれ供給するためのものである。
【００７２】
減衰器Ｔ１３，Ｔ２３，Ｔ３３は、各ＬＥＤ電圧分割器Ｓ１，Ｓ２，Ｓ３で発生される分割電圧Ｖｄ３（＝（Ｖｓ−Ｖｃ）×１／４＋Ｖｃ）を電流増幅器Ａ１３，Ａ２３，Ａ３３にそれぞれ供給するためのものである。
【００７３】
減衰器Ｔ１４，Ｔ２４，Ｔ３４は、各ＬＥＤ電圧分割器Ｓ１，Ｓ２，Ｓ３で発生される最も低い分割電圧Ｖｄ４（＝Ｖｃ）を電流増幅器Ａ１４，Ａ２４，Ａ３４にそれぞれ供給するためのものである。
【００７４】
電流増幅器Ａ１１〜Ａ１４，Ａ２１〜Ａ２４，Ａ３１〜Ａ３４は、ＮＰＮ型トランジスタとエミッタ抵抗とで構成するエミッタ接地の定電流増幅回路となっている。
これらの電流増幅器は、負帰還回路を使った電流増幅器で構成することで、より精度を向上させることができる。
【００７５】
このように、電流増幅器Ａ１１，Ａ２１，Ａ３１の入力側に１／１となる比率の減衰器Ｔ１１，Ｔ２１，Ｔ３１からの実質入力電圧Ｖｉ１（＝Ｖｃ／４＋Ｖｓ×３／４）になる電圧をそれぞれ印加し、電流増幅器Ａ１２，Ａ２２，Ａ３２の入力側に１／２となる比率の減衰器Ｔ１２，Ｔ２２，Ｔ３２からの実質入力電圧Ｖｉ２（＝Ｖｃ／４＋Ｖｓ×１／２）になる電圧をそれぞれ印加し、電流増幅器Ａ１３，Ａ２３，Ａ３３の入力側に１／３となる比率の減衰器Ｔ１３，Ｔ２３，Ｔ３３からの実質入力電圧Ｖｉ３（＝Ｖｃ／４＋Ｖｓ×１／４）になる電圧をそれぞれ印加し、電流増幅器Ａ１４，Ａ２４，Ａ３４の入力側に１／４となる比率の減衰器Ｔ１４，Ｔ２４，Ｔ３４からの実質入力電圧Ｖｉ４（＝Ｖｃ／４）になる電圧をそれぞれ印加することにより、電流増幅器Ａ１１〜Ａ１４，Ａ２１〜Ａ２４，Ａ３１〜Ａ３４は、制御電圧Ｖｃに比例した電流を横列６段並列接続された縦列４段の各段の多色発光ダイオードＤ２１〜Ｄ４４に供給する。
【００７６】
次に、図２に示した照明用発光ダイオード駆動回路における動作について説明する。
まず、赤ＬＥＤ電圧分割器Ｓ１，緑ＬＥＤ電圧分割器Ｓ２，青ＬＥＤ電圧分割器Ｓ３が、供給電源電圧Ｖｓと多色発光ダイオードＤ１１〜Ｄ１６の赤ＬＥＤ，緑ＬＥＤ，青ＬＥＤの発光色の明るさを制御する各色毎の制御電圧Ｖｃ（赤，緑，青）との差電圧ΔＶ（＝Ｖｓ−Ｖｃ）を多色発光ダイオードの直列接続数４で等分割し、制御電圧Ｖｃを含む４通りの分割電圧Ｖｄ１〜分割電圧Ｖｄ４を発生させる。
【００７７】
また、供給電源電圧Ｖｓ側に近い最も高い分割電圧Ｖｄ１を電流増幅器Ａ１１，Ａ２１，Ａ３１へと、分割電圧Ｖｄ２を電流増幅器Ａ１２，Ａ２２，Ａ３２へと、分割電圧Ｖｄ３を電流増幅器Ａ１３，Ａ２３，Ａ３３へと、制御電圧Ｖｃ側に近い最も低い分割電圧Ｖｄ４を電流増幅器Ａ１４，Ａ２４，Ａ３４へとなるように、分割電圧Ｖｄ１〜Ｖｄ４をそれぞれの電流増幅器Ａ１１〜Ａ１４，Ａ２１〜Ａ２４，Ａ３１〜Ａ３４に順次供給する。
【００７８】
この際、電流増幅器Ａ１１，Ａ２１，Ａ３１の入力側に１／１となる比率の減衰器Ｔ１１，Ｔ２１，Ｔ３１を、電流増幅器Ａ１２，Ａ２２，Ａ３２の入力側に１／２となる比率の減衰器Ｔ１２，Ｔ２２，Ｔ３２を、電流増幅器Ａ１３，Ａ２３，Ａ３３の入力側に１／３となる比率の減衰器Ｔ１３，Ｔ２３，Ｔ３３を、電流増幅器Ａ１４，Ａ２４，Ａ３４の入力側に１／４となる比率の減衰器Ｔ１４，Ｔ２４，Ｔ３４をそれぞれ挿入する。
【００７９】
この結果、各電流増幅器Ａ１１〜Ａ１４，Ａ２１〜Ａ２４，Ａ３１〜Ａ３４の入力側にはＶｃ／４の制御電圧とＶｓ／４の整数倍の電圧が印加され、電流増幅器Ａ１１〜Ａ１４，Ａ２１〜Ａ２４，Ａ３１〜Ａ３４は、制御電圧Ｖｃに比例した電流を、縦列４段の各段の並列接続された多色発光ダイオードＤ１１〜Ｄ１６と、多色発光ダイオードＤ２１〜Ｄ２６と、多色発光ダイオードＤ３１〜Ｄ３６と、多色発光ダイオードＤ４１〜Ｄ４６に供給することができる。
【００８０】
なお、負帰還回路を使わない電流増幅器のバラツキは、使用するトランジスタの特性のバラツキが抵抗の精度と共に依存するが、実用的に問題となるようなレベルではない。
フォトカプラの電流伝達率のバラツキは、フォトカプラ内部の発光素子と受光素子それぞれのバラツキの掛け算値になるためバラツキの範囲が大きい。
カソード共通型の多色発光ダイオードの場合は、ちょうど図２のＶｓ（＋）とＶｓ（−）を逆にして、ＰＮＰ型トランジスタをＮＰＮに、ＮＰＮ型トランジスタをＰＮＰに変えることで、同様に実現が可能である。
【図面の簡単な説明】
【００８１】
【図１】本発明に係る実施例の照明用発光ダイオード駆動回路を示す構成図。
【図２】本発明に係る実施例の照明用発光ダイオード駆動回路の一例を示す電気回路図。
【図３】アノードセパレート照明用発光ダイオード駆動回路の一例を示す構成図。
【図４】アノード共通・並列型照明用発光ダイオード駆動回路の一例を示す構成図。
【図５】アノード共通・直並列型照明用発光ダイオード駆動回路の一例を示す構成図。
【符号の説明】
【００８２】
Ａ１１〜Ａ１ｎ  電流増幅器
Ａ２１〜Ａ２ｎ  電流増幅器
Ａ３１〜Ａ３ｎ  電流増幅器
Ａ１１〜Ａ１４  電流増幅器
Ａ２１〜Ａ２４  電流増幅器
Ａ３１〜Ａ３４  電流増幅器
ＣＮ１  コネクタ
Ｄ１１〜Ｄ１ｐ  多色発光ダイオード
Ｄ２１〜Ｄ２ｐ  多色発光ダイオード
Ｄ３１〜Ｄ３ｐ  多色発光ダイオード
Ｄｎ１〜Ｄｎｐ  多色発光ダイオード
Ｄ１１〜Ｄ１６  多色発光ダイオード
Ｄ２１〜Ｄ２６  多色発光ダイオード
Ｄ３１〜Ｄ３６  多色発光ダイオード
Ｄ４１〜Ｄ４６  多色発光ダイオード
Ｋ１  赤ＬＥＤ電流調整器
Ｋ２  緑ＬＥＤ電流調整器
Ｋ３  青ＬＥＤ電流調整器
ＬＥＤ  多色発光ダイオード
Ｐ  直流電源
ＱＫ１〜ＱＫ３  ＰＮＰ型トランジスタ
Ｑ１１〜Ｑ１４  ＮＰＮ型トランジスタ
Ｑ２１〜Ｑ２４  ＮＰＮ型トランジスタ
Ｑ３１〜Ｑ３４  ＮＰＮ型トランジスタ
ＲＳ１１〜ＲＳ１４  抵抗
ＲＳ２１〜ＲＳ２４  抵抗
ＲＳ３１〜ＲＳ３４  抵抗
ＲＴ１１〜ＲＴ１４  抵抗
ＲＴ１２１，ＲＴ１３１，ＲＴ１４１  抵抗
ＲＴ２１〜ＲＴ２４  抵抗
ＲＴ２２１，ＲＴ２３１，ＲＴ２４１  抵抗
ＲＴ３１〜ＲＴ３４  抵抗
ＲＴ３２１，ＲＴ３３１，ＲＴ３４１  抵抗
Ｒｂ１〜Ｒｂ４  抵抗
ＲＲ１１〜ＲＲ１６  抵抗
ＲＲ２１〜ＲＲ２６  抵抗
ＲＲ３１〜ＲＲ３６  抵抗
ＲＲ４１〜ＲＲ４６  抵抗
ＲＧ１１〜ＲＧ１６  抵抗
ＲＧ２１〜ＲＧ２６  抵抗
ＲＧ３１〜ＲＧ３６  抵抗
ＲＧ４１〜ＲＧ４６  抵抗
ＲＢ１１〜ＲＢ１６  抵抗
ＲＢ２１〜ＲＢ２６  抵抗
ＲＢ３１〜ＲＢ３６  抵抗
ＲＢ４１〜ＲＢ４６  抵抗
ＲＡ１１〜ＲＡ１４  抵抗
ＲＡ２１〜ＲＡ２４  抵抗
ＲＡ３１〜ＲＡ３４  抵抗
Ｓ１  赤ＬＥＤ電圧分割器
Ｓ２  緑ＬＥＤ電圧分割器
Ｓ３  青ＬＥＤ電圧分割器
Ｔ１１〜Ｔ１ｎ  減衰器
Ｔ２１〜Ｔ１ｎ  減衰器
Ｔ３１〜Ｔ３ｎ  減衰器
Ｔ１１〜Ｔ１４  減衰器
Ｔ２１〜Ｔ２４  減衰器
Ｔ３１〜Ｔ３４  減衰器
Ｖｃ  制御電圧
Ｖｄ１〜Ｖｄ４  分割電圧
ＶＲ１，ＶＲ２，ＶＲ３  可変抵抗
Ｖｓ  供給電源電圧
【図１】
2005158438.tif 000003
【図２】
2005158438.tif 000004
【図３】
2005158438.tif 000005
【図４】
2005158438.tif 000006
【図５】
2005158438.tif 000007